(57)【要約】【課題】インターフォン機能を利用して異常情報等を伝達できる音声出力システムを提供する。【解決手段】主端末２と、主端末２が設置された建て屋内の異なる場所に設置され音声出力手段３ｇとを持つ従端末３と、各種データを記憶手段２ｄに記憶し接続された主端末２とデータの配信と収集を行うサーバー１と、主端末２と従端末３との間で接続され主端末２から従端末３へ音声信号の送信を可能とする音声通信手段９と、主端末２とサーバー１との間でデータの通信を行うサーバー通信手段８とを備え、サーバー１は主端末２以外の機器から取得した情報を主端末２へ送信し、主端末２はサーバー１から受信した情報に基づき従端末３に対し音声信号を音声通信手段９を通じて出力し、従端末３は音声通信手段９を通じて主端末２から受信した音声信号を音声出力手段３ｇから出力させる。【選択図】　図１
2004132640.tif 000002
【特許請求の範囲】
【請求項１】
建て屋の一箇所に設けられた主端末と、前記主端末が設置された建て屋内の異なる場所に設置され少なくとも音声出力手段とを持つ従端末と、各種データを記憶手段に記憶し接続された主端末とデータの配信と収集を行うとともに他のネットワークシステムとの通信機能を有するサーバーと、前記主端末と従端末との間で接続され少なくとも主端末から従端末へ音声信号の送信を可能とする音声通信手段と、前記主端末とサーバーとの間でデータの通信を行うサーバー通信手段とを備え、前記サーバーは主端末以外の機器から取得した情報を前記主端末へ送信し、前記主端末は前記サーバーから受信した情報に基づき前記従端末に対し音声信号を音声通信手段を通じて出力し、前記従端末は音声通信手段を通じて主端末から受信した音声信号を音声出力手段から出力させる音声出力システム。
【請求項２】
サーバーは他のネットワークシステムを通じて文章情報を受信し、主端末は前記サーバから受信した文章情報に基づいて従端末の音声出力手段から受信した文章情報に関連した音声を出力させる請求項１に記載の音声出力システム。
【請求項３】
主端末は音声以外のデータを音声データに変換するデータ変換手段を持ち、受信した情報を音声データに変換する請求項１または２に記載の音声出力システム。
【請求項４】
主端末は受信した文章情報の内容を解析する内容解析手段を持ち、内容解析手段の出力に基づいて従端末に文章情報の情報を送信するか否かを判定する請求項３に記載の音声出力システム。
【請求項５】
従端末は主端末が受信した文章情報を呼び出す呼び出し手段を持ち、主端末は文章情報が従端末から呼び出された場合に呼び出された文章情報に関する音声信号を音声通信手段から送信する請求項３または４に記載の音声出力システム。
【請求項６】
主端末は受信した文章情報が従端末から呼び出された場合に文章情報が従端末から呼び出されたことをサーバーへ送信する請求項５に記載の音声出力システム。
【請求項７】
サーバーは文章情報が従端末から呼び出されたことを示す情報を他のネットワークシステムから閲覧可能に保存する請求項６に記載の音声出力システム。
【発明の詳細な説明】
【０００１】
【発明の属する技術分野】
本発明はに関するものである。
【０００２】
【従来の技術】
従来の音声出力機能付端末は以下のような構成となっていた。図７は従来例の給湯遠隔制御システムのブロック図である。１０１ａは給湯リモコン、１０１ｂはふろリモコン、１０２はメインコントローラであり、それぞれ、音声伝達手段１０３により接続されて相互に音声通信を行なう。給湯リモコン１０１ａは音声を入力するマイク１０４ａ、マイクの出力を増幅するマイクアンプ１０５ａ、マイクアンプの出力を変調して音声伝達手段１０３へ出力する変調手段１０６ａ、音声伝達手段１０３から受信した音声データを音声信号に復調する復調手段１０７ａ、復調手段１０７ａの出力を増幅するスピーカーアンプ１０８ａ、スピーカアンプ１０８ａの出力を音声として出力するスピーカ１０９ａ、マイク１０４ａまたは復調回路１０７ａからの音声信号を録音して保持し、録音した音声信号を再生時にスピーカアンプ１０８ａへ出力する録音保持回路１１０ａとからなる。一方、ふろリモコン１０１ｂは、音声を入力するマイク１０４ｂ、マイクの出力を増幅するマイクアンプ１０５ｂ、マイクアンプの出力を変調して音声伝達手段１０３へ出力する変調手段１０６ｂ、音声伝達手段１０３から受信した音声データを音声信号に復調する復調手段１０７ｂ、復調手段１０７ｂの出力を増幅するスピーカーアンプ１０８ｂ、スピーカアンプ１０８ｂの出力を音声として出力するスピーカ１０９ｂとからなる。
【０００３】
給湯リモコン１０１ａとふろリモコン１０１ｂとの間で音声通信を行なう場合、給湯リモコンのマイク１０４ａから音声を入力すると、マイク１０４ａが入力された音声を電気信号に変換し、マイクアンプ１０５ａで増幅され、変調回路１０６ａから音声伝達手段１０３に出力されてふろリモコン１０１ｂに伝達され、ふろリモコン１０１ｂでは復調回路１０７ｂが変調された音声信号を復調し、スピーカーアンプ１０８ｂが音声信号を増幅し、スピーカー１０９ｂから音声として出力する。ふろリモコン１０１ｂから給湯リモコン１０１ａへの通話も機器が変わるが同様な経路で音声が伝達され、相互に通話を行なうことができる。なお、給湯リモコン１０１ａには録音保持回路１１０が設けられており、給湯リモコン１０１ａのマイク１０４ａから入力された音声を録音し、必要に応じてスピーカ１０９ａから出力させることができる。これにより、給湯リモコン１０１ａにおいて音声を伝言として録音し、家族のほかの人に音声で用事を伝える伝言メモ機能を実現できる。なお、録音保持回路１１０は、変調回路１０６ａと復調回路１０７ａと接続されており、ふろリモコン１０１ｂのマイク１０４ｂから入力された音声を音声伝達手段１０３を通じて録音し、録音された音声を音声伝達手段１０３を通じてふろリモコン１０１ｂのスピーカー１０９ｂから出力させることにより、録音保持回路のないふろリモコン１０１ｂでも伝言メモ機能を実現できる（例えば、特許文献１参照。）。
【０００４】
【特許文献１】
特開２００２−１６２１０５号公報
【０００５】
【発明が解決しようとする課題】
しかしながら、前記従来の構成では、音声伝達手段を通じて風呂リモコンから台所リモコンへ音声を録音したり再生したりできるが、台所リモコンに音声以外の情報を伝達した場合には風呂リモコンから確認する手段がないという課題があった。
【０００６】
本発明は、前記従来の課題を解決するもので、台所リモコンが音声以外の情報を取得したときに簡単な構成で風呂リモコンから確認できる音声出力システムを提供することを目的とする。
【０００７】
【課題を解決するための手段】
前記従来の課題を解決するために、本発明の音声出力システムは、建て屋の一箇所に設けられた主端末と、前記主端末が設置された建て屋内の異なる場所に設置され少なくとも音声出力手段とを持つ従端末と、各種データを記憶手段に記憶し接続された主端末とデータの配信と収集を行うとともに他のネットワークシステムとの通信機能を有するサーバーと、前記主端末と従端末との間で接続され少なくとも主端末から従端末へ音声信号の送信を可能とする音声通信手段と、前記主端末とサーバーとの間でデータの通信を行うサーバー通信手段とを備え、前記サーバーは主端末以外の機器から取得した情報を前記主端末へ送信し、前記主端末は前記サーバーから受信した情報に基づき前記従端末に対し音声信号を音声通信手段を通じて出力し、前記従端末は音声通信手段を通じて主端末から受信した音声信号を音声出力手段から出力させるものである。
【０００８】
これによって、サーバーは接続された他のネットワークシステムから情報を取得すると必要な情報を主端末に送信し、主端末はサーバーから受信した情報に基づき音声信号を従端末に音声通信手段を通じて出力し、従端末は音声通信手段を通じて主端末から受信した音声信号を音声出力手段から出力させることができる。
【０００９】
【発明の実施の形態】
請求項１に記載の発明は、建て屋の一箇所に設けられた主端末と、前記主端末が設置された建て屋内の異なる場所に設置され少なくとも音声出力手段とを持つ従端末と、各種データを記憶手段に記憶し接続された主端末とデータの配信と収集を行うとともに他のネットワークシステムとの通信機能を有するサーバーと、前記主端末と従端末との間で接続され少なくとも主端末から従端末へ音声信号の送信を可能とする音声通信手段と、前記主端末とサーバーとの間でデータの通信を行うサーバー通信手段とを備え、前記サーバーは主端末以外の機器から取得した情報を前記主端末へ送信し、前記主端末は前記サーバーから受信した情報に基づき前記従端末に対し音声信号を音声通信手段を通じて出力し、前記従端末は音声通信手段を通じて主端末から受信した音声信号を音声出力手段から出力させる構成とすることにより、サーバーは接続された他のネットワークシステムから情報を取得すると必要な情報を主端末に送信し、主端末はサーバーから受信した情報に基づき音声信号を従端末に音声通信手段を通じて出力し、従端末は音声通信手段を通じて主端末から受信した音声信号を音声出力手段から出力させることになり、他のネットワークシステムからサーバーが受信した情報に基づいて従端末から音声出力できるので、さまざまな場所で外部からの情報を伝達することができる。
【００１０】
請求項２に記載の発明は、サーバーが、他ののネットワークシステムを通じて文章情報を受信し、主端末は前記サーバから受信した文章情報に基づいて従端末の音声出力手段から受信した文章情報に関連した音声を出力させる構成とすることにより、サーバーは他のネットワークシステムを通じて文章情報を受信し、主端末は前記サーバから受信した文章情報に基づき、受信した文章情報に関連した音声を従端末に音声通信手段を通じて出力し、従端末は音声通信手段から取得した受信したに関連した音声を出力させることになり、他のネットワークシステムから受信した文章情報に基づいて従端末から文章情報に関する音声を出力させることができるので、簡単な構成で必要な従端末から文章情報を取得することができる。
【００１１】
請求項３に記載の発明は、主端末は音声以外のデータを音声データに変換するデータ変換手段を持ち、受信した情報を音声データに変換する構成とすることにより、主端末はサーバー通信手段を通じてサーバから取得した情報に基づき、受信した情報をデータ変換手段により音声信号に変換し音声通信手段を通じて従端末へ出力し、従端末は音声通信手段から取得した音声信号を音声出力手段から出力させることができ、サーバーから受信した情報を音声信号へ変換するので、音声信号以外の情報を受信しても音声信号に変換して音声通信手段から従端末へ出力することができる。
【００１２】
請求項４に記載の発明は、主端末が受信した文章情報の内容を解析する内容解析手段を持ち、内容解析手段の出力に基づいて従端末に文章情報の情報を送信するか否かを判定する構成とすることにより、主端末はサーバー通信手段を通じてサーバーから文章情報を受信し、内容解析手段が受信した文章情報の内容を解析して解析結果を出力し、内容解析手段が従端末に文章情報を送信すべきであると判定した場合に主端末は従端末に対し文章情報に関する音声信号を音声通信手段を通じて出力し、従端末は受信した文章情報に関する音声を音声出力手段から出力することになり、内容解析手段が受信した文章情報の内容を解析して必要な場合に従端末から文章情報に関する音声を出力するので、送り手が重要と考える情報を従端末まで確実に伝達することができる。
【００１３】
請求項５に記載の発明は、従端末が主端末が受信した文章情報を呼び出す呼び出し手段を持ち、主端末は文章情報が従端末から呼び出された場合に呼び出された文章情報に関する音声信号を音声通信手段から送信する構成とすることにより、主端末はサーバーから文章情報を受信すると、従端末に対し音声通信手段を通じて文章情報に関する音声信号を出力し、従端末は受信した音声信号を音声出力手段から出力する。従端末では呼び出し手段が操作されると、音声通信手段により操作情報が主端末へ送信され、主端末では受信した操作情報に基づいて従端末に対し音声通信手段を通じて文章情報に関する音声信号を出力し、従端末は受信した音声信号を音声出力手段から出力することになり、主端末が受信した文章情報を従端末から呼び出すことができるので、従端末で必要な情報のみ出力させることができる。
【００１４】
請求項６に記載の発明は、主端末が受信した文章情報が従端末から呼び出された場合に文章情報が従端末から呼び出されたことをサーバーへ送信する構成とすることにより、主端末はサーバーから文章情報を受信すると、従端末に対し音声通信手段を通じて文章情報に関する音声信号を出力し、従端末は受信した音声信号を音声出力手段から出力する。従端末では呼び出し手段が操作されると、音声通信手段により操作情報が主端末へ送信され、主端末では受信した操作情報に基づいて従端末に対し音声通信手段を通じて文章情報に関する音声信号を出力し、従端末は受信した音声信号を音声出力手段から出力する。さらに、主端末は文章情報が従端末から呼び出されたことをサーバーへ送信することになり、主端末は受信した文章情報が従端末から呼び出されたことをサーバーへ送信するので、サーバーで従端末から呼び出されたことを確認することができる。
【００１５】
請求項７に記載の発明は、サーバーが文章情報が従端末から呼び出されたことを示す情報を外部ネットワークシステムから閲覧可能に保存する構成とすることにより、主端末はサーバーから文章情報を受信すると、従端末に対し音声通信手段を通じて文章情報に関する音声信号を出力し、従端末は受信した音声信号を音声出力手段から出力する。従端末では呼び出し手段が操作されると、音声通信手段により操作情報が主端末へ送信され、主端末では受信した操作情報に基づいて従端末に対し音声通信手段を通じて文章情報に関する音声信号を出力し、従端末は受信した音声信号を音声出力手段から出力する。さらに、主端末は文章情報が従端末から呼び出されたことをサーバーへ送信する。サーバーは文章情報が従端末から呼び出されたことを外部ネットワークから閲覧可能に保存し、外部ネットワークに接続した機器から文章情報が従端末から呼び出されたことを確認できることになり、情報発信者等の外部ネットワークに接続した人が従端末から音声が出力されたことを確認可能で、相手に伝えたことを確認することができる。
【００１６】
【実施例】
以下本発明の実施例について、図面を参照しながら説明する。
【００１７】
（実施例１）
実施例１の音声出力機能付端末はふろ給湯器の台所リモコンに用いた例を示す。図１は本発明の実施例１の音声出力システムの全体ブロック図、図２〜４はシステムの主端末等の詳細ブロック図、図５は主端末である台所リモコンの外観図である。図中１はデータを端末に配信するサーバーであるシステムサーバー、２は主端末である台所リモコン、３は浴室リモコン、４は熱源機、５は文章情報である電子メールを送受信するメールサーバ、６はデータをインターネットを通じて接続された携帯端末等の端末から閲覧可能にするｗｅｂサーバー、７は携帯端末であり、システムサーバー１、メールサーバー５、ｗｅｂサーバー６はふろ給湯機の販売元のサーバー設置業者Ａに設置され、台所リモコン２、浴室リモコン３、熱源機４はふろ給湯器が設置されたふろ給湯機設置住宅に設置される。システムサーバー１と台所リモコン２とは公衆回線網８により接続されて相互にデータの送受信が可能となっており、台所リモコン２と浴室リモコン３と熱源機４との間は熱源機制御通信手段１０により接続されて台所リモコン２及び浴室リモコン３から熱源機４の操作を行なうとともに、台所リモコン２及び浴室リモコン３に熱源機４の運転状況のモニター表示を行なえるようにしている。また、台所リモコン２と浴室リモコン３との間は音声通信手段９により接続され、台所リモコン２と浴室リモコン３との間で相互に音声を交換するインターフォン機能を実現できる構成となっている。
【００１８】
システムサーバー１はシステムサーバー１を制御するサーバー制御手段１ａ、システムサーバー１へデータの入力をしたりシステムサーバー１の操作を行なうサーバー入力手段１ｂ、システムサーバー１の動作状況など必要な情報を表示するサーバー表示手段１ｃ、データー入力手段１ｂから入力されたり台所リモコン２から受信したデータを記憶するサーバー記憶手段１ｄ、システムサーバー１と台所リモコン２とを公衆回線網８を通じて接続するサーバー台所リモコン通信手段１ｅ、メールサーバー７やｗｅｂサーバー６と通信するゲートウェイ１ｆとからなる。
【００１９】
また、台所リモコン２は、台所リモコン２を制御する台所リモコン制御手段２ａ、台所リモコン２を操作する台所リモコン操作手段２ｂ、熱源機４の動作状況など必要な情報を表示する台所リモコン表示手段２ｃ、あらかじめ登録されたデーターや台所リモコン２から受信したデータを記憶する台所リモコン記憶手段２ｄ、浴室リモコン３や熱源機４と通信して熱源機の制御を行なうための通信を行なう台所リモコン熱源機通信手段２ｅ、台所リモコン２へ音声を入力するための台所リモコン音声入力手段２ｆ、台所リモコンから音声を出力する台所リモコン音声出力手段２ｇ、台所リモコン音声入力手段２ｆから入力された音声信号を台所リモコン記憶手段に記憶させるか又は浴室リモコン３へ送信するかを切り換える台所リモコン音声切換手段２ｈ、浴室リモコン３と音声信号を送受信するための台所リモコン音声送受信手段２ｉ、台所リモコン音声出力手段２ｇから出力する音声の音量を変更する音量変更手段である台所リモコン音量変更手段２ｊ、台所リモコン２とシステムサーバー１とを公衆回線網８を通じて接続する台所リモコンサーバー通信手段２ｋ、システムサーバー１から受信した音声データを音声通信手段９により音声通信可能な音声信号に変換する音声信号変換手段２ｌ、システムサーバー１から受信した内容を解析する内容解析手段２ｍ、文章など音声データ以外のデータを音声データへ変換するデータ変換手段２ｎとからなる。なお、台所リモコン操作手段２ｂには給湯運転ボタン２ｂ１、ふろ自動ボタン２ｂ２、通話ボタン２ｂ３、録音再生ボタン２ｂ４、矢印ボタン２ｂ５、決定ボタン２ｂ６の各ボタンがある。また、台所リモコン音声出力手段２ｇはスピーカ、台所リモコン音声入力手段２ｆはマイクである。
【００２０】
また、浴室リモコン３は、浴室リモコン３を制御する浴室リモコン制御手段３ａ、浴室リモコン３を操作し電子メールが来た場合には呼び出し手段となる浴室リモコン操作手段３ｂ、熱源機４の動作状況など必要な情報を表示する浴室リモコン表示手段３ｃ、あらかじめ登録されたデーターや台所リモコン２から受信したデータを記憶する浴室リモコン記憶手段３ｄ、台所リモコン２や熱源機４と通信して熱源機の制御を行なうための通信を行なう浴室リモコン熱源機通信手段３ｅ、浴室リモコン３へ音声を入力するための浴室リモコン音声入力手段３ｆ、浴室リモコンから音声を出力する浴室リモコン音声出力手段３ｇ、浴室リモコン音声入力手段３ｆから入力された音声信号を浴室リモコン記憶手段に記憶させるか又は台所リモコン２へ送信するかを切り換える浴室リモコン音声切換手段３ｈ、台所リモコン２と音声信号を送受信するための浴室リモコン音声送受信手段３ｉ、浴室リモコン音声出力手段３ｇから出力する音声の音量を変更する浴室リモコン音量変更手段３ｊとからなる。なお、浴室リモコン記憶手段３ｈは、あらかじめ決められたデータのみを記憶可能なＲＯＭ（Ｒｅａｄ　ｏｎｌｙ　ｍｅｍｏｒｙ）である。また、浴室リモコン音声出力手段３ｇはスピーカ、浴室リモコン音声入力手段３ｆはマイクである。
【００２１】
また、熱源機４は、熱源機を制御する熱源機制御手段４ａ、台所リモコン２および浴室リモコン３と通信して操作情報の受信や運転状況の送信を行なう熱源機リモコン通信手段４ｂ、熱源機制御手段４ａの指示により温水を生成する熱交換器４ｃ、熱交換器の温水の流量を検出する流量センサ４ｄ、熱交換器４ｃの燃焼の有無を検出する燃焼センサ４ｅ、ふろの湯量を検出するふろ湯量センサ４ｆ、ふろの湯温を検出するふろ湯温センサ４ｇとからなる。
【００２２】
以上の構成による作用を示す。熱源機設置住宅の住人が台所で温水を利用する場合、まず台所リモコン操作手段２ｂの運転ボタン２ｂ１を押すと、台所リモコン音声出力手段２ｇから「給湯機の運転を開始します」と音声で報知し、給湯機が運転を開始させる。運転ボタン２ｂ１を押して運転ＯＮさせる指示は、台所リモコン熱源機通信手段２ｅから熱源機制御通信手段１０を通じて熱源機４へ伝達され、熱源機４は熱源機リモコン通信手段４ｂにより受信した運転ＯＮ指示の電文により熱源機制御手段４ａが熱源機の運転をＯＮする。この状態で、台所の温水のカラン（図示せず）を開くと温水の水路が開き熱源機の温水路に上水道から供給された水が流れ、温水路に設置された流量センサ４ｄが温水路の水流を検出して熱交換器を点火し燃焼による温水の生成を開始する。熱交換器の燃焼は燃焼センサ４ｅにより検出され、燃焼中であるという情報が熱源機リモコン通信手段４ｂから熱源機制御通信手段１０により台所リモコン２と浴室リモコンに送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに燃焼マークを表示して、熱源機の燃焼を報知する。熱交換器４ｃで生成された温水は住宅内の温水の水路を経て台所のカランから流出する。カランを閉じると、温水の水路が閉じ、流量センサ４ｄが水流の停止を検出し、熱交換器を消火し温水の生成を停止する。燃焼が停止したことを燃焼センサ４ｅが検出すると、燃焼中でないという情報が熱源機リモコン通信手段４ｂから熱源機制御通信手段１０により台所リモコン２と浴室リモコン３に送信され、台所リモコン２と浴室リモコン３では台所リモコン熱源機通信手段２ｅ、浴室リモコン熱源機通信手段３ｅが受信したデータに基づき、台所リモコン表示手段２ｃ、浴室リモコン表示手段３ｃに表示されている燃焼マークを消去し、燃焼中でないことを明示する。
【００２３】
一方、ふろを沸かす場合では、台所リモコン操作手段２ｂのふろ自動ボタン２ｂ２を押すと、台所リモコン音声出力手段２ｇから「ふろ自動運転を開始します」と音声で報知し、ふろ自動運転を開始する。ふろ自動ボタン２ｂ２を押してふろ自動を運転ＯＮさせる指示は、台所リモコン熱源機通信手段２ｅから熱源機制御通信手段１０を通じて熱源機４へ伝達され、熱源機４は熱源機リモコン通信手段４ｂにより受信したふろ自動ＯＮ指示の電文により熱源機制御手段４ａが熱源機のふろ自動運転を開始する。ふろ自動では、ふろ湯量センサ４ｆが浴槽内の残り湯量を検出し、検出した残り湯量に応じてあらかじめ設定された水量のお湯を張り、湯温をあらかじめ設定された温度に調整し、あらかじめ設定された水量と湯温に到達するとお湯張りが完了して保温へ移行する。保温では、ふろ湯温センサ４ｇにより湯温の低下を検出すると追い炊きを自動で行ない、設定された湯温に戻すという動作を繰り返し、あらかじめ設定された保温時間の間、この動作を継続する。このような熱源機の動作内容は熱源機制御通信手段１０を経てにより熱源機４から台所リモコン２および浴室リモコン３へ送信され、台所リモコン２と浴室リモコン３では台所リモコン熱源機通信手段２ｅ、浴室リモコン熱源機通信手段３ｅが受信したデータに基づき、熱源機４の運転状況に応じた表示を台所リモコン表示手段２ｃ、浴室リモコン表示手段３ｃに行なうとともに、熱源機４の運転状況に応じた音声出力を台所リモコン音声出力手段２ｇと浴室リモコン音声出力手段３ｇとから行なう。
【００２４】
カランから出湯するお湯の温度、ふろ自動で用いるお湯張り水量、温度はあらかじめ台所リモコンまたは浴室リモコンの各リモコン操作手段により入力されて熱源機へ送信され、熱源機記憶手段により設定値を記憶する。これらの設定値は浴室リモコン３または台所リモコン２で設定されるたびに熱源機に送信され、新しい設定値が送信されるたびに設定値を入れ替える。また、設定や操作の際に台所リモコン２あるいは浴室リモコン３の各音声出力手段２ｇ、３ｇから出力させる音声はデジタルデータとしてそれぞれ台所リモコン記憶手段２ｄ、浴室リモコン記憶手段３ｄに記憶されており設定や操作に対応した音声ファイルを再生して音声出力している。これらの音声データを音声として出力する際は音声信号変換手段２ｌにより電気信号である音声信号に変換して音声切替手段２ｈを経て音声出力手段２ｇから音声として出力する。
【００２５】
また、本実施例では台所リモコンと浴室リモコンの間にインターフォン機能を有しており、相互に会話を行なうことができる。台所から浴室へ通話したい場合は、台所リモコン操作手段２ｂに設置された通話ボタン２ｂ３を押し、押している間台所リモコン２から浴室リモコン３へ通話可能としている。通話ボタン２ｂ３を押すと台所リモコン２が話手となったことを宣言する電文が台所リモコン熱源機通信手段２ｅから熱源機制御通信手段１０を通じて浴室リモコン３へ伝達するとともに、台所リモコン制御手段２ａが台所リモコン音声切換手段２ｈを操作し、台所リモコン音声入力手段２ｆで採取して電気信号に変換した音声信号を台所リモコン音声送受信手段２ｉへ送信し、台所リモコン音声送受信手段２ｉは受信した音声信号を音声通信手段９を介して音声信号を送信可能な信号に変調した上で音声通信手段９へ出力し浴室リモコン３へ送信する。浴室リモコン３では、浴室リモコン熱源機通信手段４ｂにより受信した台所話手の電文により浴室リモコン制御手段３ａが浴室リモコン音声切換手段３ｈを操作し、浴室リモコン音声送受信手段３ｉが台所リモコン２から受信した信号を復調して音声信号へ変換し、浴室リモコン音声出力手段３ｇから出力させる。浴室では、浴室リモコン音声出力手段３ｇから出力される音量が小さすぎたり大きすぎたりした場合は、浴室リモコン操作手段３ｂを操作して音量を変更できる。この操作を行うと浴室リモコン制御手段３ａの指示により浴室リモコン音量変更手段３ｊの増幅率が変化し浴室リモコン音声出力手段３ｇから出力される音量が変化する。
【００２６】
一方、浴室から台所への通話は、台所リモコン操作手段２ｂの通話ボタン２ｂ３または浴室リモコン操作手段３ｂの通話ボタン（図示せず）のどちらかを押した後通話ボタンを離した時に通話可能となり、通話ボタンを押すことなく浴室の音声を台所で聞くことができる構成としている。この時、浴室が話者となる電文の送受信と浴室リモコン音声入力手段３ｇから採取され信号変換された音声信号は、それぞれ台所から浴室への通話と逆の経路を経て台所リモコンへ伝達され、浴室内の音声は台所リモコン音声出力手段２ｇから出力される。台所でも、浴室の場合と同様に、台所リモコン音声出力手段２ｇから出力される音量が小さすぎたり大きすぎたりした場合は、台所リモコン操作手段２ｂを操作して音量を変更できる。この操作を行うと台所リモコン制御手段２ａの指示により台所リモコン音量変更手段２ｊの増幅率が変化し台所リモコン音声出力手段２ｇから出力される音量が変化する。この通話を停止する際は、台所または浴室の通話ボタンを短時間押すことにより停止させるようにしている。
【００２７】
また、本実施例の台所リモコン２は台所リモコンサーバー通信手段１ｅを持ち、公衆回線網８を通じて熱源機設置住宅Ｂから離れたサーバー業者Ａ側に設置されたシステムサーバー１と通信し、システムサーバー１と台所リモコン２間でデータを送受信することにより従来のふろ給湯システムにないサービスを提供できるシステムとしている。ここで提供するサービスは、システムサーバー１から台所リモコン２へはサーバー記憶手段１に記憶されたコンテンツの閲覧サービスがあり、また、台所リモコン２からシステムサーバー１へは、熱源機の運転情報のシステムサーバー１へのアップロードがある。コンテンツの閲覧は、台所リモコンを情報端末として用いてシステムサーバー１にある各種情報を台所リモコンの画面で閲覧するもので、コンテンツとしては、料理の作り方を検索して表示するレシピ、近所のスーパーなどの特売情報を表示するお買い物情報、ガス機器や電子レンジなど台所周りで使用する機器の便利な使い方を紹介したり困った時に対処方法を指南する生活便利帳がある。また、運転情報は熱源機の運転時間や燃焼時間、燃焼量などの通常運転データと、異常検出時の異常運転データとからなり、これらの情報により、サーバー設置業者は、熱源機のメンテナンスの間隔を変更したり、異常発生時に即座にサービスマンを派遣を行なうなどの対応を取ることができる。
【００２８】
さらに、本実施例の音声出力システムでは、システムサーバー１をインターネット１２など外部のネットワークシステムと接続されたメールサーバー７と接続することにより、インターネット１５に接続された携帯端末７などからの電子メールを台所リモコン２や浴室リモコン３から確認できるようにしている。システムサーバー１へ接続されているメールサーバー７の特定のアドレスに対し、携帯端末７から電子メールを送信すると、インターネットを経てメールサーバー７が受信し、受信した電子メールはサーバー業者内通信手段１１を通じてシステムサーバー１ヘ転送される。システムサーバー１は電子メールの宛先から電子メールを転送する台所リモコンを特定し、該当する台所リモコン２に対し公衆回線網８を通じて受信した電子メールを送信し、台所リモコン２は電子メールを受信すると、台所リモコン記憶手段２ｄに記憶すると共に、台所リモコン音声出力手段２ｇから音声で報知したり、台所リモコン表示手段２ｃに表示して電子メールが来たことを報知する。台所リモコン２では、台所リモコン操作手段２ｂを操作して電子メールの内容を台所リモコン表示手段２ｃに表示させて確認できる。また、電子メールの内容をデータ変換手段２ｎにより音声データに変換し、さらに音声信号変換手段２ｌにより音声信号に変換して台所リモコン音声出力手段２ｇから音声として出力させることもできる。
【００２９】
一方、台所リモコン２がシステムサーバー１から電子メールを受信したことは浴室リモコン３へも伝達され、浴室リモコン音声出力手段３ｇから音声で電子メールの到着をしらせている。浴室リモコン３から電子メールの内容を確認する場合は、浴室リモコン操作手段３ｂであらかじめ決められた呼び出し操作を行うと、電子メールの内容を呼び出す情報が熱源機制御通信手段１０を通じて台所リモコン２へ送信され、台所リモコン２は受信した電子メールを浴室リモコン３へ送信する操作を行う。これは、まずデータ変換手段２ｎが電子メールの文章内容を音声データへ変換し、音声信号変換手段２ｌが音声データを音声出力手段９から出力可能な音声信号に変換し、さらに台所リモコン音声送受信手段２ｉが音声通信手段９で音声信号を伝達可能な信号に変調して音声信号を音声通信手段９へ出力し、浴室リモコン３では浴室リモコン音声送受信手段３ｉが受信した信号を復調して音声信号へ変換し、浴室リモコン音声切替手段３ｊを経て浴室リモコン音声出力手段３ｇから音声として出力することにより電子メールの内容を伝達している。これによって、台所リモコン２が受信した電子メールの内容を音声通信手段９により接続された浴室リモコン３で確認することができる。
【００３０】
なお、本実施例の音声出力システムでは、すべての電子メールの到着を浴室リモコン３で知らせるのではなく、ある特定の情報が電子メールにある場合には浴室リモコン３へ電子メールの到着を知らせない構成をとっている。これは、重要な情報のみ浴室リモコン３から知らせることにより、浴室でわずらわしい思いをさせないようにしたり、音声通信手段が９頻繁に使われてインターフォン機能の使用に差支えがないようにするために有効である。この実現のため、台所リモコン２は内容解析手段２ｍを持ち、受信した電子メールの内容を解析し、電子メールの本文中に＜ｎｏ　ｔｒａｎｓｆａｒ＞という文字列がある場合に浴室リモコン３へ電子メールの到着を知らせないようにしている。
【００３１】
さらに、本実施例の音声出力システムでは、台所リモコン２は電子メールの内容が使用者によって確認された場合に電子メールを確認した場所と時刻をシステムサーバー１へ送信し、さらに、システムサーバー１は受信した情報をサーバー業者内通信手段１１を通じてｗｅｂサーバー６へ送信して、ｗｅｂサーバーはインターネット１２に接続された携帯端末８から内容を閲覧可能な情報として保存している。これにより、インターネット１２に接続された機器があれば、いつでもどこからでも電子メールを確認したか否か、また、どこで何時確認したかを知ることができる。
【００３２】
なお、浴室リモコン３からの音声出力は、台所リモコン２からの指示により自動的に行う方法でも良いが、台所リモコン２がデータを受信したときにまずお知らせメロディ等で浴室にデータ受信を知らせ、浴室リモコンからの指示により音声信号を台所リモコンから浴室リモコンへ送信する構成としても良い。このような構成とすることにより、突然音声が出力されることがないので、突然の音声で浴室の人が驚いたり、最初の言葉が聞き取れなかったりすることがない。さらに、浴室で音声を聞いたことを台所リモコンに知らせることができるので、この情報をシステムサーバー１へ送信することにより、情報を使用者が確認したことをシステムサーバー１側で認識することが可能で、電子メールを送信した人がシステムサーバー１にアクセスすることにより、情報の伝達状況を確認することも可能となる。
【００３３】
なお、本実施例の音声出力システムでは、音声通信手段９と熱源機制御通信手段１０と情報通信手段１０との三種の通信手段を分離して記載しているが、三種のうちいずれか二種、もしくは三種すべて物理的に同一の線を用いて周波数や時間、パケット等で分離して通信する構成としてもよい。
【００３４】
また、本実施例の音声出力システムは、給湯器の台所リモコン、浴室リモコンを例として表記しているが、家庭内、事務所内等の警報通信システムであり音声を通信できるシステムであればいかなる用途であっても適用できる。
【００３５】
また、本実施例の音声出力システムでは、外部ネットワークとしてインターネットを用いているが、インターネットのようなグローバルアドレスによるネットワークでもよいし、プライベートアドレスによるイントラネットでもよいし、公衆回線網を利用して電話回線で接続して情報を通信する方法でもよく、外部ネットワークの形態を限定することを発明の目的とするものではない。さらに、メールサーバーやｗｅｂサーバーはサーバー設置者宅でなく、インターネット等のネットワークで接続された他の場所であってもよい。
【００３６】
また、本実施例の音声出力システムでは、インターフォンとして音声データを電気信号である音声信号に変換し、さらに音声送受信手段で変調、復調して音声通信手段で通信しているが、デジタルデータの音声データをそのまま、またはパケットに分割して送受信する等の方法でも適用できる。
【００３７】
また、本実施例の音声出力システムでは、文章情報として電子メールを用いているが、ＳＭＴＰプロトコルによる電子メールやＳＭＴＰプロトコルを拡張したアプリケーション個別の電子メールシステムでもよい。また、電子情報として文章をやり取りするシステムであれば電子メールに限らずいかなる方法でもよく、サーバーにおける文章情報を限定することを発明の主眼とするものではない。
【００３８】
また、本実施例の音声出力システムでは、内容解析手段は台所リモコンが受信した電子メールに特定の文字列を検索して、文字列が存在した場合に浴室リモコンへ送信しないが、逆に、特定の文字列があった場合に浴室リモコンに送信する構成としてもよい。また、特定の文字列として＜ｎｏ　ｔｒａｎｓｆａｒ＞を記載しているが、この文字列に限ることなくあらかじめ決められた文字列であればよい。さらに、電子メールの本文中に特定の文字列を入れる構成でもよいし、ｓｕｂｊｅｃｔ：行やｔｏ：行などヘッダーの一部に特定の文字列を入れたり、電子メールの宛先で浴室リモコンへの転送の有無を判定するような構成としてもよい。
【００３９】
【発明の効果】
以上のように、請求項１から７のいずれか一項記載の発明によれば、他の機器からの通信により主端末が得た情報に基づいて従端末から音声を出力させることができるので、簡単な構成で必要な従端末から未知の音声を出力させることができる。することができる。
【図面の簡単な説明】
【図１】本発明の実施例１における音声出力システムの概要ブロック図
【図２】同装置のサーバーの詳細ブロック図
【図３】同装置の主端末の詳細ブロック図
【図４】同装置の従端末の詳細ブロック図
【図５】同装置の熱源機の詳細ブロック図
【図６】同装置の外観図
【図７】従来例の浴室リモコンのブロック図
【符号の説明】
１　サーバー
１ｃ　サーバー記憶手段（記憶手段）
２　台所リモコン（主端末）
２ｄ　台所リモコン記憶手段（記憶手段）
２ｌ　音声信号変換手段
２ｍ　内容解析手段
２ｎ　データ変換手段
３　浴室リモコン（従端末）
３ｂ　浴室リモコン操作手段（内容呼び出し手段）
３ｇ　浴室リモコン音声出力手段（音声出力手段）
８　公衆回線網（サーバー通信手段）
９　音声通信手段
１２　インターネット（他のネットワークシステム）
【図１】
2004132640.tif 000003
【図２】
2004132640.tif 000004
【図３】
2004132640.tif 000005
【図４】
2004132640.tif 000006
【図５】
2004132640.tif 000007
【図６】
2004132640.tif 000008
【図７】
2004132640.tif 000009